(57)【要約】【課題】駆動手段に接続して通電する配線板を短くすることができるレンズ鏡筒を提供する。【解決手段】第一レンズ保持部材２と、駆動手段と、第一のカム筒７と、直進規制部材８と、配線板１６とを備える撮影レンズ鏡筒を設ける。第一のカム筒７は、第一レンズ保持部材２の外周に設けられ、回転して第一レンズ保持部材２と駆動手段とを光軸方向に移動させる。また、直進規制部材８は、第一レンズ保持部材２の内周に設けられ、第一レンズ保持部材２を直進規制する。また、配線板１６は、駆動手段に接続する。そして、配線板は、直進規制部材８の内周から外周に対して縦断する。【選択図】図３
2012255850.tif 000002
【特許請求の範囲】
【請求項１】
鏡筒部材と、
駆動手段と、
前記鏡筒部材の外周に設けられ、回転して前記鏡筒部材と前記駆動手段とを光軸方向に移動させるカム筒と、
前記鏡筒部材の内周に設けられ、前記鏡筒部材を直進規制する直進規制部材と、
前記駆動手段に接続する配線板とを備え、
前記配線板は、前記直進規制部材の内周から外周に対して縦断する
ことを特徴とするレンズ鏡筒。
【請求項２】
前記配線板は、前記カム筒の回転に伴う前記鏡筒部材の被写体側への繰り出し時に、該鏡筒部材が退避した領域を通過する
ことを特徴とする請求項１に記載のレンズ鏡筒。
【請求項３】
前記直進規制部材は、
前記光軸と平行な方向に延設され、前記鏡筒部材を直進規制する直進溝と、
前記配線板を前記直進規制部材の内周から外周に対して縦断させるための開口部とを備え、
前記鏡筒部材は、内周において、前記光軸と平行な方向に延設され、前記直進溝と係合する直進キーを備え、
前記開口部は、前記光軸回り方向において、前記直進溝の１つと同位相に配置され、
前記直進溝は、前記開口部よりも被写体側に形成されている
ことを特徴とする請求項１または請求項２に記載のレンズ鏡筒。
【請求項４】
前記直進キーは、前記鏡筒部材の内周の、被写体側端部から撮像素子側端部に亘り形成されている
ことを特徴とする請求項３に記載のレンズ鏡筒。
【請求項５】
前記直進溝と前記直進キーは、前記光軸回り方向において、１２０度３等分で配置されている
ことを特徴とする請求項４または請求項５に記載のレンズ鏡筒。
【請求項６】
前記鏡筒部材は、レンズを保持するレンズ保持部材であり、
前記駆動手段は、少なくともシャッタ駆動機構または絞り駆動機構を含む
ことを特徴とする請求項４または請求項５に記載のレンズ鏡筒。
【請求項７】
請求項１乃至６のいずれか１項に記載のレンズ鏡筒を備えることを特徴とする撮像装置。
【発明の詳細な説明】
【技術分野】
【０００１】
本発明は、レンズ鏡筒及び撮像装置に関する。
【背景技術】
【０００２】
近年、ズーム動作が可能なデジタルカメラ等の撮像装置について、ズームの高倍率化の要望が強くなっている。このような要望を受けて、撮影レンズ群の移動ストロークを大きくする構成を有する撮像装置が提案されている。
【０００３】
一般に、撮像装置が備えるレンズ鏡筒には、撮影レンズ群の一部として、シャッタや絞り、振れ補正レンズ等の機能部材が配置されている。これらの機能部材に対応する駆動手段（アクチュエータ）に対して電気を供給するフレキシブル基板を備える撮像装置が提案されている。
【０００４】
シャッタや虹彩絞り、防振機構の移動ストロークが長くなると、これらに対応するアクチュエータに接続するフレキシブル基板も長くする必要がある。しかし、フレキシブル基板が長くなると、撮像装置が鏡筒を収納状態にした場合に、フレキシブル基板を断線することなく適切に納めることが困難となる。
【０００５】
フレキシブル基板を断線することなく適切に納める技術として、特許文献１は、フレキシブル基板をロール状に巻き取る機構部を備え、レンズ保持枠の進退に応じて、フレキシブル基板の引き出しと巻き込みとを行う撮像装置を開示する。また、特許文献２は、沈胴時にフレキシブル基板の弛んだ部分を、撮影時に、第１、第２レンズ群間の有効光路内に収納する鏡胴を開示する。
【先行技術文献】
【特許文献】
【０００６】
【特許文献１】特開平０９−１８５０９５号公報
【特許文献２】特開平０９−２１１２８４号公報
【発明の概要】
【発明が解決しようとする課題】
【０００７】
特許文献１が開示する撮像装置では、フレキシブル基板をロール状に巻き取ると、その直径分のスペースが必要になる。また、この撮像装置では、フレキシブル基板を巻き取るためにスプリング等の部品が必要となり、その結果、鏡筒が大型化し、部品点数が増加するという問題がある。また、特許文献２が開示する鏡胴では、レンズ群同士の間にフレキシブル基板を畳みながら挿入するので、レンズ表面とフレキシブル基板とが接触し、レンズ表面に汚れや傷がつくという問題がある。上述した問題を解決するために、撮像装置が備える駆動手段に接続して通電する配線板を短くすることが必要である。
【０００８】
本発明は、駆動手段に接続して通電する配線板を短くすることができるレンズ鏡筒の提供を目的とする。
【課題を解決するための手段】
【０００９】
本発明の一実施形態のレンズ鏡筒は、鏡筒部材と、駆動手段と、前記鏡筒部材の外周に設けられ、回転して前記鏡筒部材と前記駆動手段とを光軸方向に移動させるカム筒と、前記鏡筒部材の内周に設けられ、前記鏡筒部材を直進規制する直進規制部材と、前記駆動手段に接続する配線板とを備える。前記配線板は、前記直進規制部材の内周から外周に対して縦断する。
【発明の効果】
【００１０】
本発明によれば、鏡筒内部の駆動手段へ通電するための配線板を短くすることができる。
【図面の簡単な説明】
【００１１】
【図１】本実施形態の撮像装置の外観構成の例を示す図である。
【図２】本実施形態の撮像装置の要部構成例である。
【図３】本実施形態のレンズ鏡筒の構成例を示す図である。
【図４】第１レンズ保持部材の斜視図である。
【図５】直進規制部材の正面図である。
【図６】直進規制部材の斜視図である。
【図７】防振レンズの斜視図である。
【図８】絞り機構の斜視図である。
【発明を実施するための形態】
【００１２】
図１は、本実施形態の撮像装置の外観構成の例を示す図である。デジタルカメラ２１が、本実施形態の撮像装置である。デジタルカメラ２１は、撮影倍率を変更できるズーム機構を有する。図１（Ａ）は、デジタルカメラ２１の正面斜視図である。図１（Ｂ）は、デジタルカメラ２１の背面図である。デジタルカメラ２１が備える撮像レンズ鏡筒２４が、本実施形態のレンズ鏡筒である。また、図２は、本実施形態の撮像装置の要部構成例である。
【００１３】
本形態のデジタルカメラ２１の正面には、被写体の構図を決めるファインダ２２、測光測距を行う場合の光源の補助を行う補助光２０、ストロボ２３、撮影レンズ鏡筒２４が設けられている。デジタルカメラ２１の上面には、レリーズボタン１７、電源切換えボタン１９、ズーム切換えスイッチ１８が設けられている。
【００１４】
また、デジタルカメラ２１の背面には、操作ボタン２７乃至３２が配置され、様々な機能切換えを行うことができる。また、当該背面には、ＬＣＤ（Liquid Crystal Display）を有するディスプレイ２６、ファインダ接眼部２５が設けられている。
【００１５】
ディスプレイ２６は、メモリ３８に保存された画像データやメモリーカードから読み込んだ画像データを画面上に表示する画像表示手段である。制御部は、ＣＰＵ４４、ＲＯＭ４３、ＲＡＭ４５を備える。制御部は、バス４２を介して、レリーズボタン１７、操作ボタン２７乃至３２、ディスプレイ２６、メモリ３８、メモリーカードドライブ４０等の各種構成要素に接続されている。
【００１６】
駆動回路４１は、制御部からの制御信号に従って、各々の駆動を制御する。駆動回路４１は、ズーム機構３３、撮像素子１５、ストロボ２３に接続されている。また、駆動回路４１は、フォーカス駆動機構３４、シャッタ駆動機構５ａ、絞り駆動機構６ａといった駆動手段に接続されている。なお、撮像素子は、例えばＣＣＤ（Charge Coupled Device）、ＣＭＯＳ（Complementary Metal Oxide Semiconductor）等である。
【００１７】
ＲＯＭ４３には、上述の各機能構成要素を制御する制御プログラムが記憶されている。ＲＡＭ４５には、各制御プログラムに必要なデータが記憶されている。アナログ信号処理部３５は、取り込まれた画像データにアナログ処理を施し、Ａ（Analog）／Ｄ（Digital）変換部３６に出力する。Ａ／Ｄ変換部３６は、取り込まれたアナログデータをデジタルデータに変換する。そして、Ａ／Ｄ変換部３６は、変換によって得られたデジタルデータをデジタル信号処理部３７に出力する。デジタル信号処理部３７は、Ａ／Ｄ変換部３６が出力したデジタルデータの処理を行う。デジタル信号処理部３７は、処理したデジタルデータをメモリ３８に記憶する。
【００１８】
圧縮伸張部３９は、メモリ３８に記憶された画像データやメモリーカードドライブ４０に記憶されている画像データの伸張処理を行う。圧縮伸張部３９は、伸長処理によって得られる画像データを、バス４２を介してディスプレイ２６に表示させる。ユーザは、ディスプレイ２６上のデータを参照して、その画像が不必要であると判断した場合、ユーザは、操作ボタン３２を操作することによって、その画像を消去することができる。
【００１９】
図３は、本実施形態のレンズ鏡筒の構成例を示す図である。図３（Ａ）は、撮影レンズ鏡筒の使用時即ち撮影時の状態を示す。また、図３（Ｂ）は、撮影レンズ鏡筒の収納時の状態を示す。第一レンズ１は、鏡筒部材である第一レンズ保持部材２によって保持される。第一レンズ保持部材２の背後に虹彩絞りユニット６が配置されており、さらに背後に防振レンズ３を保持する防振レンズ保持部材４が配置されている。
【００２０】
防振レンズ保持部材４は、防振地板５の上に配置されている。防振レンズ保持部材４は、防振地板５に対して、光軸と直交方向に移動可能である。防振地板５の背面側にシャッタ５ｄが設けられている。第一レンズ保持部材２の外周には、第一のカム筒７が配置され、内周には、カム溝が形成されている。
【００２１】
第一レンズ保持部材２の内周には直進規制部材８が設けられている。直進規制部材８は、第一のカム筒７と略一体で光軸方向に動作できるように配置されている。第一のカム筒７の外周には、第二のカム筒９が配置されている。第二のカム筒９の内周には、カム溝が形成されている。このカム溝は、第一のカム筒７が追従できるように構成されている。
【００２２】
第二のカム筒９の外周には、作動筒１０が配置され、作動筒１０を保持するカバー部材１１がその外側に設置されている。作動筒１０がズーム機構３３によって回転力を与えられると、それに連動して第一のカム筒７が回転力を受ける。そして、第一のカム筒７は、第二のカム筒９内周のカム溝に追従し、回転しながら光軸方向へ移動する。
【００２３】
第一のカム筒７と直進規制部材８とは、バヨネット状に略一体で保持されており、第一のカム筒７と略一体に光軸方向へ移動する。但し、直進規制部材８は、第二のカム筒９の内周に設けられた直進溝によって直進保持されており、回転できなくなっている。第一レンズ保持部材２、虹彩絞りユニット６、防振地板５は、第一のカム筒７の内周に形成されるカム溝に追従することによって、それぞれ個別に光軸方向へ移動し、さらに直進規制部材８によってそれぞれ直進規制されることによって、回転しない。後述するように、防振地板５上には、防振駆動機構５ｃ（図７を参照）が設けられている。また、後述するように、虹彩絞りユニット６は、絞り駆動機構６ａ（図８を参照）によって駆動される。そして、絞り駆動機構６ａは、虹彩絞りユニット６と一体的に光軸方向に移動する。すなわち、第一のカム筒７は、回転して第一レンズ保持部材２と駆動手段とを光軸方向に移動させる。
【００２４】
防振地板５の背後には、フォーカスレンズ１２を保持するフォーカスレンズ保持部材１３が配置され、フォーカス駆動機構３４によって光軸方向へ移動できる。すなわち、フォーカスレンズ保持部材１３は、撮影レンズ鏡筒２４のピントを合わせる機能を有する。
【００２５】
撮影レンズ鏡筒２４の最背面には、撮像素子１５を保持する撮像素子保持部材１４が配置されている。撮像素子保持部材１４は、撮影レンズ鏡筒２４の背面の蓋として機能する。撮影レンズ鏡筒２４の撮影倍率を高倍率にするために、例えば、第二のレンズ群すなわち防振レンズ３の繰り出し量をできるだけ大きくすることが望ましい。
【００２６】
図４は、第一レンズ保持部材の斜視図である。第一レンズ保持部材２の内周には、被写体側端部から撮像素子側端部までの全域に亘り、直進キー２ａが形成されている。直進キー２ａは、図５、図６に示す直進溝８ｃに係合する。すなわち、第一レンズ保持部材２は、その内周において、直進キー２ａを備える。直進キー２ａは、光軸と平行な方向に延設されており、直進溝８ｃと係合する。
【００２７】
図５は、直進規制部材の正面図である。また、図６は、直進規制部材の斜視図である。直進規制部材８には、壁面に開口部８ｂが設けられている。配線板１６が、開口部８ｂの間を、直進規制部材８の内周から外周にまたがって縦断する。すなわち、開口部８ｂは、配線板１６を直進規制部材８の内周から外周に対して縦断させる。直進規制部材８の後端に、配線板保持部８ａが設けられ、配線板保持部８ａの内面で配線板１６の側面を保持するとともに、開口部８ｂの１端を形成している。
【００２８】
レンズ鏡筒の収納時（図３（Ｂ））には、第一レンズ保持部材２が光軸撮像素子方向へ移動してくる。このレンズ鏡筒の収納時には、配線板１６は、直進規制部材８の外周へ突出しない。配線板１６は、撮影時すなわち第一のカム筒７の回転に伴う第一レンズ保持部材２の被写体側への繰り出し時に、第一レンズ保持部材２が退避した領域を通過する。これにより、撮影時において、配線板１６を直進規制部材８の内周から外周にまたがって縦断させることができる。
【００２９】
また、直進規制部材８の開口部８ｂは、光軸回り方向において、直進溝８ｃの１つと略同位相に配置されている。例えば、開口部８ｂは、撮影レンズ鏡筒２４を正面から見たときに、３個１２０度等分の直進溝８ｃの１つと略同位相に設けられている。直進溝８ｃは、光軸と平行な方向に延設されており、第一レンズ保持部材２を直進規制する。開口部８ｂと直進溝８ｃは、光軸方向の位置関係で、開口部８ｂが撮像素子側に、直進溝８ｃが被写体側に配置されている。また、直進溝８ｃは直進規制部材８の先端まで形成されている。
【００３０】
上記の構成により、鏡筒収納時に第一レンズ保持部材２を最も繰り込んだ場合は勿論、使用時に最も繰り出した場合でも、直進溝８ｃと直進キー２ａとは３箇所とも常に係合することができる。例えば、直進溝８ｃと直進キー２ａとが、光軸回り方向において、１２０度３等分で配置されている場合、金型の型割の都合上、また、レンズ鏡筒駆動のバランスの都合上、好ましい構成となる。また、この構成においては、配線板のレイアウト自由度を高めることもできる。
【００３１】
図７は、防振レンズの斜視図である。図７に示すように、防振レンズ３を防振機構として機能させるための防振駆動機構５ｃが、防振地板５上に設けられている。また、防振レンズ３の外周の防振地板５上には、シャッタ駆動機構５ａ、ＮＤ駆動機構５ｂが設けられている。第一のフレキシブル基板１６ａが、これらの駆動機構に接続して電気を供給することで、これらの駆動機構を駆動する。
【００３２】
図８は、絞り機構の斜視図である。虹彩絞りユニット６は、例えばステッピングモータである絞り駆動機構６ａによって駆動される。第二のフレキシブル基板１６ｂが、絞り駆動機構６ａに電力を供給する。上述した第一、第二のフレキシブル基板１６ａ、１６ｂを、配線板１６と総称する。
【００３３】
デジタルカメラ２１が、内部のレンズ群をできるだけ長く繰り出そうとすると、配線板１６も長くする必要がある。しかし、配線板１６を長くすると、撮影レンズ鏡筒２４の収納時に、配線板１６の処理が困難になる。そのため、配線板１６をできるだけ短くしたい。
【００３４】
図３（Ａ）に示すように、撮影レンズ鏡筒２４の繰り出し時には、配線板１６が直進規制部材８の断面方向において、内周から外周にかけて縦断するように構成することで、配線板１６を最短接続距離で構成できる。
【００３５】
以上、本発明の好ましい実施形態について説明したが、本発明はこれらの実施形態に限定されず、その要旨の範囲内で種々の変形及び変更が可能である。例えば、本発明の実施形態では、直進規制部材の外周に第一レンズ保持部材が配置される場合を例示したが、これに限定されず、直進規制部材の外周に、その他のレンズ保持部材、またはレンズを保持しない鏡筒部材が配置される場合でも本発明を適用できる。
【符号の説明】
【００３６】
２    第一レンズ保持部材
２ａ  直進キー
５    防振地板
７    カム筒
８    直進規制部材
８ａ  配線板保持部
１６  配線板
【図１】
2012255850.tif 000003
【図２】
2012255850.tif 000004
【図３】
2012255850.tif 000005
【図４】
2012255850.tif 000006
【図５】
2012255850.tif 000007
【図６】
2012255850.tif 000008
【図７】
2012255850.tif 000009
【図８】
2012255850.tif 000010